(57)【要約】【課題】  カフスの表側にカフスボタンに変えて刺繍・プリント・アップリケ等のカフスボタン状装飾を施してお洒落な着こなしを実現するとともにシャツの着替え時の煩わしさを解消したシャツを提供する。【解決手段】  シャツ１の袖口３にループ状に折り返して形成されるカフス１０において、カフス表側の表面にカフスボタンに変わる刺繍・プリント・アップリケ等のカフスボタン状装飾２０を施し、上記装飾の裏側であるカフス表側の内面とこのカフス内面に接合されるカフス裏側の内面に掛止具３０を備えたシャツ１である。【選択図】  図２
2009019303.tif 000002
【特許請求の範囲】
【請求項１】
シャツの袖口表側の表面に設けられ刺繍・プリント・アップリケ等で形成されたカフスボタン状装飾と、上記袖口表側の内面と袖口裏側の内面とを接合させる掛止具と、を具備したことを特徴とするシャツ。
【請求項２】
上記掛止具は、ボタンとボタン孔であることを特徴とする請求項１記載のシャツ。
【請求項３】
上記掛止具は、雄雌ホックであることを特徴とする請求項１記載のシャツ。
【請求項４】
上記掛止具は、マジックテープ（登録商標）であることを特徴とする請求項１記載のシャツ。
【請求項５】
カフス裏側の表面に刺繍・プリント・アップリケ等で形成されたカフスボタン留め具状装飾を施したことを特徴とする請求項２記載のシャツ。
【発明の詳細な説明】
【技術分野】
【０００１】
本発明は、シャツに係り、特に、カフスボタンに変えて刺繍・プリント・アップリケ等のカフスボタン状装飾を施してお洒落な着こなしを実現するとともにシャツの着替え時の煩わしさを解消したものに関する。
【背景技術】
【０００２】
従来、シャツの袖口（カフス）には、ボタンやカフスボタンをカフス表面側に取り付ける為の孔が表面側と裏面側の端部にあけられ、この孔にカフスボタン（カフリンクス）の掛止具を通して取り付けられる。このカフスボタンの着脱作業は、基本的に片手操作となるために、着脱作業に手間取り、思う様にスムーズな装着作業が行えない煩わしさがある。このために、一般的な日常生活の中では、カフスボタンを用いたお洒落な着こなしが敬遠されている。
【０００３】
そこで、カフスへのカフスボタンの着脱が簡便にできるようにしたものが提案されている。具体的には、袖口の開閉が容易で、装飾性にも富んでいる袖口の止具をつけたワイシャツであって、ワイシャツの袖口の表面にカフスボタンを、裏面にスナップボタンを夫々設け、袖口より続く切込み部の縁部裏面に、上板と下板とを連結柱で連結した本体と、この本体の内部にＹ字形のファスナーエレメントのガイド通路を形成したスライダーにより開閉するスライドファスナーを取付けて袖口の止具を構成したものである（例えば、特許文献１参照。）。
【０００４】
また、別のカフスは、手先等に障害が有る人やワイシャツを着慣れない人にも容易に美しく着こなせるワイシャツであって、このワイシャツのカフスを含めた釦類を全て飾り釦にして、前あわせ部と袖口部にファスナーを設けて着脱を容易にし、且つ、ファスナーのスライド（チャック）のつまみ部が袖口飾り（カフス釦）を兼ねたファスナーワイシャツとしたものである（例えば、特許文献２参照。）。
【０００５】
【特許文献１】実開平６−２５３０２号公報
【特許文献２】実用新案登録第３０５６５８５号公報
【発明の開示】
【発明が解決しようとする課題】
【０００６】
上記従来の構成によると次のような問題があった。すなわち、カフスボタンの着脱操作性の簡略化を重点的に狙い、カフスボタンをカフス表面に縫付け、また、カフスの両裏面にスナップボタンを夫々設けたものであるから、カフス両端部の開閉操作性に優れている。しかし、カフスボタンを完全に廃止したものでなく、シャツのクリーニング時には、クリーニング業者等がカフスボタンをカフス表面から取り外さなければならず、カフスボタンの着脱の煩わしさ・紛失の恐れを余儀無くされているという問題がある。
【０００７】
更に、袖口部にファスナーを設けて着脱を容易にしたワイシャツでは、袖口部の開閉操作性には優れているものの、袖口（カフス）の表側と裏側との端部が完全に密着して接合し合わないから、袖口部の締まりがなく、だらしなく見えるという問題がある。
【０００８】
本発明はこのような点に基づいてなされたものでその目的とするところは、袖口の表側及び裏側にカフスボタンに変えて刺繍・プリント・アップリケ等のカフスボタン状装飾を施して、お洒落な着こなしを実現するとともにシャツの着替え時やクリーニング時の煩わしさを解消したシャツを提供することにある。
【課題を解決するための手段】
【０００９】
上記目的を達成するべく本発明によるシャツは、シャツの袖口表側の表面に設けられ刺繍・プリント・アップリケ等で形成されたカフスボタン状装飾と、上記袖口表側の内面と袖口裏側の内面とを接合させる掛止具と、を具備したことを特徴とするものである。
【００１０】
また、上記掛止具は、ボタンとボタン孔又は雄雌ホック又はマジックテープ（登録商標）からなるものとすることが考えられる。
【００１１】
また、掛止具をボタンとボタン孔とした場合は、カフス裏側の表面に刺繍・プリント・アップリケ等で形成されたカフスボタン留め具状装飾を施すことが考えられる。
【００１２】
すなわち、本発明のシャツの場合は、カフスボタンの着脱作業やボタン掛けは、基本的に片手操作になるものの、カフス表側にカフスボタンに変わる刺繍・プリント・アップリケ等のカフスボタン状装飾が施されているために、カフスボタンが不要になる。そして、上記装飾の裏側となるカフス内面とこのカフス内面に接合される裏側カフス内面とを、掛止具によって掛止するようにしたので、片手操作で手間取ることなく、スムーズに着脱作業が行える。また、カフスボタンの管理不備による紛失やクリーニング時の煩わしい着脱の手間も解消される。
また、掛止具はボタンとボタン孔とした場合には、ボタン掛けが容易にできる。また、雄雌ホック又はマジックテープ（登録商標）とした場合には、掛止が容易にできるとともに、外観上もすっきり見せることができる。
また、カフス裏側の表面にも刺繍・プリント・アップリケ等のカフスボタンの留め具状装飾を施した場合は、カフス裏側から見た時も、あたかもカフスボタンの留め具を備えているかのように見せることができ、リアルな使用感を与えることができる。
【００１３】
これにより、カフスボタンを着用しなければならない公式な場での礼服としては勿論のこと、一般的な日常生活の中においても、カフスボタンをカフスに取り付けたかの如く見せることによりお洒落な着こなしが簡便・容易にできるものである。
【発明の効果】
【００１４】
本発明のシャツによると、カフスボタンを付けているように見えるが、実際にはカフスボタンやこの留め具を不要とすることができる。また、スムーズにカフス接合掛けができ、カフスボタンの紛失やクリーニング時のカフスボタン取り外しの手間取りが解消できる。これにより、カフスボタンを着用しなければならない公式な場での礼服としては勿論のこと、一般的な日常生活の中においても、カフスボタンを取り付けたかの如く見せることによりお洒落な着こなしが簡便・容易にできるものである。
【発明を実施するための最良の形態】
【００１５】
以下、図１乃至図６を参照して本発明の第１の実施の形態を説明する。図１はシャツを着用した左袖口の外観図、図２は左袖口を外側から見た外観図、図３は左袖口を内側から見た外観図、図４はカフスを広げた斜視図、図５は各種掛止具の斜視図、図６は使用状態のカフス断面図と各種装飾の正面図である。
【００１６】
本発明のシャツは、図１〜図４に示すように、シャツ１の袖口３には、両端部Ａ，Ｂを重ね合わせて着用するカフス１０が備えられている。このカフス表側１０Ａには、図１に示すように、カフスボタンを装着するボタン孔の部分に、カフスボタン状装飾２０が形成されている。このカフスボタン状装飾２０は一例として、イニシャルやアルファベットの刺繍Ｓ１のものを示したが、これに限らず、各種ロゴマークのプリントＳ２、絵柄・動物・シンボル・干支・星座等のアップリケＳ３等とすることができる。これらのカフスボタン状装飾２０は縫付けや貼着や印刷等の手段で施されている。上記カフスボタン状装飾２０の裏側となるカフス内面１０Ｃと、このカフス内面と重ねて接合するカフス裏側１０Ｂのカフス内面１０Ｄとに掛止具３０が備えられている。上記掛止具３０は、カフス表側１０Ａに設けた装飾２０の裏側となるカフス内面１０Ｃに縫付けたボタンＢと、他方側のカフス内面１０Ｄにあけたボタン孔ＢＨからなるものである。
【００１７】
勿論、図５に示すように、上記掛止具３０は、ボタンＢとボタン孔ＢＨに代えて、雄雌ホックＨ１，Ｈ２又はマジックテープ（登録商標）Ｋ１，Ｋ２に変更しても良い。また、上記カフス１０は、折り返しのない一重構成のシングルカフスであるが、折り返しを入れた二重構成のダブルカフスとしても良い。
【００１８】
以上のように構成されたシャツ１の作用を説明する。
図１〜図６に示すように、カフス１０のボタン掛けは、基本的に片手操作になるものの、カフス表側１０Ａにカフスボタンに変わる刺繍Ｓ１、ロゴマークのプリントＳ２、絵柄・動物・シンボル・干支・星座等のアップリケＳ３等のカフスボタン状装飾２０のが施されているから、実際のカフスボタンが不要になる。これにより、図２と図４に示すように、上記カフスボタン状装飾２０の裏側となるカフス内面１０Ｃと、このカフス内面に接合されるカフス裏側１０Ｂのカフス内面１０Ｄとを、ボタンＢとボタン孔ＢＨとの掛け合わせや取り外し作業が手間取ることなくスムーズに行える。カフス裏側１０Ｂの外面は外観上は図３に示すようにボタン孔ＢＨからボタンＢが突き出た状態となる。また、図５に示すように、雄雌ホックＨ１，Ｈ２又はマジックテープ（登録商標）Ｋ１，Ｋ２の場合は、カフス裏側１０Ｂの外面には何も現れない。勿論、雄雌ホックＨ１，Ｈ２又はマジックテープ（登録商標）Ｋ１，Ｋ２による掛け合わせや取り外し作業Ｇも間取ることなくスムーズに行える。
【００１９】
更に、シャツ１のクリーニング時において、従来のようなカフスボタンの取り外し・縫い付け作業が完全に解消される。更に、取り外したカフスボタンの管理不備による紛失からも完全に解放される。
【００２０】
しかして、カフスボタンを着用した公式な場での礼服としては勿論のこと、一般的な日常生活の中においても、本物のカフスボタンをカフスに取り付けたかの如く見せることができ、簡便・容易にお洒落な着こなしができるものである。
【００２１】
以上本実施の形態によると次のような効果を奏することができる。
まず、シャツの袖口表側にカフスボタンに変わる刺繍・プリント・アップリケ等のカフスボタン状装飾を施したから、本物のカフスボタンを不要にできる。つまり、カフスボタンを付けているように見えるが、実際にはカフスボタンやこの留め具は不要であり、カフスボタンを着用しなければならない公式な場での礼服としては勿論のこと、一般的な日常生活の中においても、カフスボタンを取り付けたかの如く見せることによりお洒落な着こなしが簡便・容易にできるものである。
また、上記装飾の裏側のカフス内面とこのカフス内面に接合される裏側カフス内面とが掛止具によって掛止されるから、容易且つスムーズにボタン掛け等の掛止作業ができる。また、カフスボタンの紛失やクリーニング時の手間取りといった問題も解消できる。
【００２２】
本発明のシャツは、上記第１の実施の形態に限定されない。図７に示すように、カフス裏側の表面に、刺繍Ｓ１・プリントＳ２・アップリケＳ３等のカフスボタン留め具状装飾４０を施しても良い。更に、図８は、カフス裏側のボタン孔ＢＨに、ボタンＢを掛け合わせて裏表面にボタンＢが現れる掛止具３０において、刺繍Ｓ１・プリントＳ２・アップリケＳ３等のカフスボタン留め具状装飾４０を施したものを示している。
【００２３】
上記カフスボタン留め具状装飾４０を、カフス裏側の表面に施したシャツにおいては、カフス裏側から見た時にカフスボタンの留め具状装飾４０が見える。これにより、カフスの外側や内側から見ても、あたかも本物のカフスボタンを装着しているかのように見え、リアルな使用感が得られる。
【産業上の利用可能性】
【００２４】
本発明のカフスは、ワイシャツに適用するほか、カッターシャツ、カジュアルシャツ等の各種シャツや女性用のシャツやブラウス等の被服にも適用できる。
【図面の簡単な説明】
【００２５】
【図１】本発明の第１の実施の形態を示図で、シャツを着用した左袖口の外観図である。
【図２】本発明の第１の実施の形態を示す図で、左袖口を外側から見た外観図である。
【図３】本発明の第１の実施の形態を示す図で、左袖口を内側から見た外観図である。
【図４】本発明の第１の実施の形態を示す図で、カフスを広げた斜視図である。
【図５】本発明の第１の実施の形態を示す図で、各種掛止具の斜視図である。
【図６】本発明の第１の実施の形態を示す図で、カフスの断面図と装飾の正面図である。
【図７】本発明の第２の実施の形態を示す図で、カフスボタンの留め具状の装飾の斜視図である。
【図８】本発明の第２の実施の形態を示す図で、カフスボタンの留め具状の装飾の斜視図である。
【符号の説明】
【００２６】
１            シャツ
３            袖口
１０            カフス
１０Ａ          カフス表側
１０Ｂ          カフス裏側
１０Ｃ          カフス内面
１０Ｄ          カフス内面
２０            装飾
３０            掛止具
４０            カフスボタン留め具状装飾
Ｂ              ボタン
ＢＨ            ボタン孔
Ｋ１，Ｋ２      マジックテープ（登録商標）
Ｈ１，Ｈ２      雄雌ホック
Ｓ１            刺繍
Ｓ２            プリント
Ｓ３            アップリケ
【図１】
2009019303.tif 000003
【図２】
2009019303.tif 000004
【図３】
2009019303.tif 000005
【図４】
2009019303.tif 000006
【図５】
2009019303.tif 000007
【図６】
2009019303.tif 000008
【図７】
2009019303.tif 000009
【図８】
2009019303.tif 000010